(57)【要約】      （修正有）【課題】エレベータのそれぞれで発生する事由が異なる場合であっても、利用者に、必要な情報を事由ごとに提供することが可能な技術を提供する。【解決手段】携帯端末３は、識別情報取得部３４１と、特定情報取得部３４２と、通知処理部３４３と、を備える。識別情報取得部３４１は、エレベータを識別するための識別情報を取得する。特定情報取得部３４２は、識別情報取得部３４１が取得した識別情報で識別される特定のエレベータに関連する特定情報を、当該特定のエレベータに発生する事由ごとに取得する。通知処理部３４３は、特定情報取得部が取得した特定情報に応じた通知を、上記事由ごとに行う。【選択図】図２
2020164306.tif 000002
【特許請求の範囲】
【請求項１】
エレベータを識別するための識別情報を取得する識別情報取得部と、
前記識別情報取得部が取得した前記識別情報で識別される特定のエレベータに関連する特定情報を、当該特定のエレベータに発生する事由ごとに取得する特定情報取得部と、
前記特定情報取得部が取得した前記特定情報に応じた通知を、前記事由ごとに行う通知処理部と、
を備える、携帯端末。
【請求項２】
前記特定情報は、前記特定のエレベータが設置されているエリアで発生した異常な自然現象に関連する情報、前記特定のエレベータが設置されているエリアで発生した災害に関連する情報、前記特定のエレベータの運行状況、故障、又はメンテナンスに関連する情報、のうちの少なくとも何れか１つを含む、請求項１に記載の携帯端末。
【請求項３】
前記特定情報取得部が、前記特定情報として、前記特定のエレベータが設置されているエリアで発生した異常な自然現象に関連する情報を取得した場合、前記通知処理部は、当該特定のエレベータからの避難方法を通知する、請求項２に記載の携帯端末。
【請求項４】
ネットワークとの接続を中継する通信中継器を識別するための識別情報を、当該通信中継器から受信する起動処理部
を更に備え、
前記識別情報取得部は、前記通信中継器のうちの前記エレベータの乗場又はそのエレベータの乗りかご内に設けられている通信中継器の前記識別情報を、当該エレベータの前記識別情報と共に取得することが可能であり、
前記起動処理部は、前記通信中継器から受信した前記識別情報が、前記識別情報取得部による取得済みの前記識別情報と同じであった場合に、前記識別情報取得部、前記特定情報取得部、及び前記通知処理部を実現するためのプログラムを実行する、請求項１〜３の何れかに記載の携帯端末。
【請求項５】
エレベータを識別するための識別情報を取得する識別情報取得ステップと、
前記識別情報取得ステップが取得した前記識別情報で識別される特定のエレベータに関連する特定情報を、当該特定のエレベータに発生する事由ごとに取得する特定情報取得ステップと、
前記特定情報取得ステップが取得した前記特定情報に応じた通知を、前記事由ごとに行う通知処理ステップと、
を携帯端末に実行させる、プログラム。
【発明の詳細な説明】
【技術分野】
【０００１】
本発明は、エレベータに関連する情報を、携帯端末を利用して利用者に提供する技術に関する。
【背景技術】
【０００２】
近年、エレベータに異常（故障や、地震発生に伴う停止など）が発生した場合に、利用者（例えば乗りかご内に閉じ込められた利用者）との通話や利用者への情報提供などを、当該利用者が所持している携帯端末（スマートフォンなど）を利用して行う技術が提案されている（例えば、特許文献１、２参照）。
【先行技術文献】
【特許文献】
【０００３】
【特許文献１】特開２００９−４６２９１号公報
【特許文献２】特開２０１６−５５９８１号公報
【発明の概要】
【発明が解決しようとする課題】
【０００４】
しかし、従来から提案されている技術では、エレベータの故障や、地震発生に伴うエレベータの停止など、ある１つの特定の事由が発生した場合にのみ、その事由に関連した情報を利用者に提供することしかできない。
【０００５】
一方、エレベータの異常に限らず、エレベータのメンテナンスに関連する情報（例えば、メンテナンスでエレベータが停止する日時）や、エレベータの運行状況に関連する情報（例えば、混雑状況）なども携帯端末で知りたいといったニーズがある。しかし、従来から提案されている技術では、エレベータのそれぞれで発生する事由が異なる場合であっても、事由ごとに利用者に必要な情報を提供することはできない。
【０００６】
そこで本発明の目的は、エレベータのそれぞれで発生する事由が異なる場合であっても、利用者に、必要な情報を事由ごとに提供することが可能な技術を提供することである。
【課題を解決するための手段】
【０００７】
本発明に係る携帯端末は、識別情報取得部と、特定情報取得部と、通知処理部と、を備える。識別情報取得部は、エレベータを識別するための識別情報を取得する。特定情報取得部は、識別情報取得部が取得した識別情報で識別される特定のエレベータに関連する特定情報を、当該特定のエレベータに発生する事由ごとに取得する。通知処理部は、特定情報取得部が取得した特定情報に応じた通知を、上記事由ごとに行う。ここで、特定情報は、特定のエレベータが設置されているエリアで発生した異常な自然現象に関連する情報、特定のエレベータが設置されているエリアで発生した災害に関連する情報、特定のエレベータの運行状況、故障、又はメンテナンスに関連する情報、のうちの少なくとも何れか１つを含む。
【０００８】
上記携帯端末によれば、エレベータのそれぞれで発生する事由（エレベータの運行状況や故障、エレベータのメンテナンス、地震発生、災害発生など）が異なる場合であっても、事由ごとに、必要な情報（特定情報）を取得することが可能になる。
【０００９】
上記携帯端末において、特定情報取得部が、特定情報として、特定のエレベータが設置されているエリアで発生した異常な自然現象に関連する情報を取得した場合、通知処理部は、当該特定のエレベータからの避難方法を通知してもよい。このように避難方法を地震発生時に利用者に提供（通知）することにより、利用者を、エレベータから安全に避難させることが可能になる。
【００１０】
上記携帯端末は、起動処理部を更に備えていてもよい。起動処理部は、ネットワークとの接続を中継する通信中継器を識別するための識別情報を、当該通信中継器から受信する。このような構成において、識別情報取得部は、通信中継器のうちのエレベータの乗場又はそのエレベータの乗りかご内に設けられている通信中継器の識別情報を、当該エレベータの識別情報と共に取得することが可能であってもよい。また、起動処理部は、通信中継器から受信した識別情報が、識別情報取得部による取得済みの識別情報と同じであった場合に、識別情報取得部、特定情報取得部、及び通知処理部を実現するためのプログラムを実行してもよい。
【００１１】
上記構成によれば、利用者が、自身が利用する特定のエレベータの識別情報と共に、当該特定のエレベータの乗場又はそのエレベータの乗りかご内に設置されている通信中継器の識別情報を取得しておくことで、当該利用者が所持する携帯端末には、特定のエレベータの乗場に利用者が近づくか、又は、そのエレベータの乗りかごに利用者が搭乗したときに、自動的に上記プログラムの実行を開始させることが可能になる。
【００１２】
本発明に係るプログラムは、識別情報取得ステップと、特定情報取得ステップと、通知処理ステップと、を携帯端末に実行させる。識別情報取得ステップは、エレベータを識別するための識別情報を取得する。特定情報取得ステップは、識別情報取得ステップが取得した識別情報で識別される特定のエレベータに関連する特定情報を、当該特定のエレベータに発生する事由ごとに取得する。通知処理ステップは、特定情報取得ステップが取得した特定情報に応じた通知を、上記事由ごとに行う。
【発明の効果】
【００１３】
本発明によれば、エレベータのそれぞれで発生する事由が異なる場合であっても、利用者に、必要な情報を事由ごとに提供することが可能になる。
【図面の簡単な説明】
【００１４】
【図１】本発明の適用が可能なエレベータの制御システムの全体構成を示した概念図である。
【図２】本発明の実施形態に係る携帯端末を示したブロック図である。
【図３】携帯端末で実行される起動処理を示したフローチャートである。
【図４】携帯端末で実行される情報取得処理を示したフローチャートである。
【発明を実施するための形態】
【００１５】
［１］エレベータの制御システム
図１は、本発明の適用が可能なエレベータの制御システムの全体構成を示した概念図である。エレベータは、複数の乗りかご１００と、当該乗りかご１００のそれぞれの動作を個別に制御する複数のエレベータ制御装置１０１と、当該エレベータ制御装置１０１を一元的に管理する群管理制御装置１０２と、備える。そして、そのエレベータの制御システムは、群管理制御装置１０２と、ネットワークを介して当該群管理制御装置１０２に接続されたサーバ１と、エレベータの乗場に設置された通信中継器２と、で構成されている。
【００１６】
尚、エレベータは、乗りかご１００を１つだけ備えたものであってもよい。この場合、エレベータにおいて群管理制御装置１０２が不要になるため、ネットワークにはエレベータ制御装置１０１が接続される。また、通信中継器２は、乗りかご１００内に設けられていてもよい。
【００１７】
本実施形態では、サーバ１は、エレベータ管理サーバ１Ａと、地震情報提供サーバ１Ｂと、災害情報提供サーバ１Ｃと、を含む。そして、本発明の実施形態に係る携帯端末３は、通信中継器２を介して、これらのサーバ１から各種情報の提供を受けることができる。
【００１８】
エレベータ管理サーバ１Ａは、群管理制御装置１０２との通信を行うことにより、当該群管理制御装置１０２を通じてエレベータを管理する。具体的には、エレベータ管理サーバ１Ａは、エレベータの運行状況や故障に関連する情報を群管理制御装置１０２から取得し、取得した情報に基づいてエレベータを監視する。
【００１９】
ここで、エレベータの運行状況に関連する情報には、乗りかご１００の運行状況やエレベータの混雑状況などの情報が含まれる。そして、エレベータ管理サーバ１Ａは、それらの情報に基づいて、そのときのエレベータの運行状況に応じた制御（例えば高い輸送効率を実現するための制御）を群管理制御装置１０２に実行させる。また、エレベータの故障に関連する情報には、故障箇所、発生時刻、故障発生後の運行状況などの情報が含まれる。そして、エレベータ管理サーバ１Ａは、それらの情報に基づいて、エレベータに発生した故障の状況を把握する。
【００２０】
本実施形態では、エレベータ管理サーバ１Ａは更に、エレベータの運行状況に関連する情報やエレベータの故障に関連する情報を携帯端末３に配信する。このときにエレベータ管理サーバ１Ａが配信する情報は、群管理制御装置１０２から取得した情報と同じものであってもよいし、その情報に基づいて新たに生成されたものであってもよい。例えば、エレベータに故障が発生した場合には、その故障が復旧する予定日時などの情報が新たに生成され、その情報が、エレベータの故障に関連する情報として配信される。また、エレベータが混雑している場合には、階段やエスカレータの利用を促す情報が新たに生成され、その情報が、エレベータの運行状況に関連する情報として配信されてもよい。
【００２１】
また、エレベータ管理サーバ１Ａは、定期的に実施されるエレベータのメンテナンスに関連する情報（メンテナンスでエレベータが停止する日時などの情報）を携帯端末３などに配信してもよい。
【００２２】
地震情報提供サーバ１Ｂは、地震が発生した場合に、その地震に関連する情報を速報（いわゆる「緊急地震速報」）として携帯端末３などに配信する。ここで、地震に関連する情報には、地震の規模や震度などの情報が含まれる。
【００２３】
災害情報提供サーバ１Ｃは、異常な自然現象などで災害が発生した場合に、その災害に関連する情報を携帯端末３などに配信する。ここで、災害に関連する情報には、災害の規模や状況などの情報、各種インフラ（電話回線やエレベータなどを含む）の復旧状況、災害に関する情報提供を呼びかけるメッセージなどが含まれる。
【００２４】
通信中継器２は、ネットワークへの携帯端末３の接続を中継するアクセスポイント（ゲートウェイなど）であり、良好な通信状況を実現できる所定範囲Ｒ（図１参照）内の位置まで携帯端末３が近づいたときに、当該携帯端末３との通信を確立させる。そして、通信中継器２は、自身を識別するための識別情報Ｐｆを、通信を確立させた携帯端末３に送信する。これにより、携帯端末３は、通信が確立した通信中継器２の識別情報Ｐｆを取得することが可能になる。
【００２５】
［２］携帯端末
図２は、本発明の実施形態に係る携帯端末３を示したブロック図である。携帯端末３は、通信部３１と、表示部３２と、読取部３３と、制御部３４と、記憶部３５と、を備える。ここで、通信部３１は、通信中継器２との通信を行うためのインタフェースである。表示部３２は、例えばタッチパネルなどであり、各種情報を表示する。読取部３３は、情報コード（ＱＲコード（登録商標）など）を読み取るコードリーダである。制御部３４は、ＣＰＵなどの処理装置であり、携帯端末３の動作を制御する。記憶部３５は、プログラムなどのデータを記憶する不揮発性メモリである。
【００２６】
本実施形態では、制御部３４は、上述したサーバ１から配信される各種情報を取得するための処理（情報取得処理）を実行する。具体的には、制御部３４は、情報取得処理用プログラムを記憶部３５から読み出して実行することにより、当該情報取得処理を実現するための処理部として機能する。尚、情報取得処理の詳細については後述する。
【００２７】
また、制御部３４は、情報取得処理の前段として、情報取得処理用プログラムの実行を開始（即ち、情報取得処理用アプリケーションを起動）するための処理（起動処理）を実行する。具体的には、制御部３４は、起動処理用プログラムを記憶部３５から読み出して実行することにより、当該起動処理を実現するための処理部として機能する。尚、起動処理の詳細については後述する。
【００２８】
そして、制御部３４は、起動処理用プログラムと情報取得処理用プログラムとを並列で実行できる。ここで、これらのプログラムは、サーバ１にダウンロード可能に保存されており、当該サーバ１からダウンロードされたものが携帯端末３の記憶部３５に保存される。一例として、利用者は、自身が所持する携帯端末３（具体的には、読取部３３）で、エレベータの乗場やそのエレベータの乗りかご１００内に表示されている情報コード（ＱＲコード（登録商標）など）を読み取ることにより、サーバ１にアクセスしてプログラムをダウンロードすることが可能になる。尚、プログラムの記憶部３５への保存方法は、サーバ１からダウンロードするものに限らず、例えば携帯可能な記憶媒体（例えば、フラッシュメモリなど）に記憶されているものを読み込で記憶部３５に保存する方法であってもよい。
【００２９】
図２に示されるように、情報取得処理を実現するための処理部には、識別情報取得部３４１と、特定情報取得部３４２と、通知処理部３４３と、が含まれている。また、起動処理を実現するための処理部には、起動処理部３４４が含まれている。
【００３０】
識別情報取得部３４１は、エレベータを識別するための識別情報Ｐｅを取得し、取得した識別情報Ｐｅを記憶部３５に保存する。一例として、エレベータの乗場やそのエレベータの乗りかご１００内に、当該エレベータの識別情報Ｐｅを含んだ情報コード（ＱＲコード（登録商標）など）が表示されている場合には、識別情報取得部３４１は、読取部３３が読み取った情報コードから識別情報Ｐｅを取得する。
【００３１】
本実施形態では更に、識別情報取得部３４１が、エレベータの識別情報Ｐｅを取得したときに、当該エレベータの乗場やそのエレベータの乗りかご１００内に設置されている通信中継器２の識別情報Ｐｆを取得し、その識別情報Ｐｆを識別情報Ｐｅと共に記憶部３５に保存できるように、識別情報Ｐｅには識別情報Ｐｆが対応付けられている。一例として、上述した識別コードが、識別情報Ｐｅに加えて識別情報Ｐｆを含んだコードとなるように構成されており、識別情報取得部３４１は、読取部３３が読み取った情報コードから識別情報Ｐｅと共に識別情報Ｐｆを取得する。
【００３２】
特定情報取得部３４２は、識別情報取得部３４１が取得した識別情報Ｐｅで識別される特定のエレベータに関連する特定情報Ｐｔを、当該特定エレベータに発生する事由ごとにサーバ１から取得する。具体的には、特定情報取得部３４２は、特定のエレベータの運行状況、故障、又はメンテナンスに関連する情報の少なくとも何れか１つを、特定情報Ｐｔとしてエレベータ管理サーバ１Ａから取得する。また、特定情報取得部３４２は、特定のエレベータが設置されているエリアで地震や災害が発生した場合には、特定情報Ｐｔとして、地震に関連する情報を地震情報提供サーバ１Ｂから取得し、災害に関連する情報を災害情報提供サーバ１Ｃから取得する。
【００３３】
通知処理部３４３は、特定情報取得部３４２が取得した特定情報Ｐｔに応じた通知を、特定エレベータに発生している事由ごとに行う。一態様として、通知処理部３４３は、特定情報Ｐｔを表示部３２に表示することにより、当該特定情報Ｐｔの内容を利用者に通知する。尚、通知処理部３４３は、携帯端末３に設けられているスピーカから音声で特定情報Ｐｔの内容を通知してもよい。他の態様として、通知処理部３４３は、特定情報取得部３４２が取得した特定情報Ｐｔに基づいて、別の情報を生成し、或いは別の情報を記憶部３５から読み出し、当該別の情報を表示部３２やスピーカを通じて利用者に通知する。ここで、別の情報には、特定のエレベータが設置されているエリアで地震が発生したときの当該特定のエレベータからの避難方法などが含まれる。
【００３４】
起動処理部３４４は、情報取得処理を実行するための実行指令が利用者から携帯端末３に入力された場合に、情報取得処理用プログラムの実行を開始する。また、起動処理部３４４は、通信が確立した通信中継器２から送信されてくる識別情報Ｐｆが、記憶部３５に保存されている識別情報Ｐｆと同じであった場合にも、情報取得処理用プログラムの実行を開始する。この構成によれば、記憶部３５に保存されている識別情報Ｐｆに対応する識別情報Ｐｅで識別される特定のエレベータを利用者が利用しようとした場合又は利用した場合に、携帯端末３において、情報取得処理用プログラムを確実に実行させることができる。従って、利用者には、利用しようとしている又は利用しているエレベータに関連する情報を確実に提供できる。
【００３５】
［３］携帯端末で実行される制御処理
［３−１］起動処理
図３は、携帯端末３の制御部３４で実行される起動処理を示したフローチャートである。この起動処理は、携帯端末３の電源が入っている場合に、制御部３４の起動処理部３４４によってバックグラウンドで実行される。以下、起動処理について具体的に説明する。
【００３６】
先ず、起動処理部３４４は、情報取得処理を実行するための実行指令が携帯端末３に入力されたか否かを判断する（図３のステップＳ１１）。そして、起動処理部３４４は、ステップＳ１１にて「入力された（Ｙｅｓ）」と判断した場合、情報取得処理用プログラムの実行を開始する（図３のステップＳ１２）。一方、起動処理部３４４は、ステップＳ１１にて「入力されていない（Ｎｏ）」と判断した場合、通信中継器２から識別情報Ｐｆを受信したか否かを判断する（図３のステップＳ１３）。
【００３７】
起動処理部３４４は、ステップＳ１３にて「受信していない（Ｎｏ）」と判断した場合、ステップＳ１１に戻る。一方、起動処理部３４４は、ステップＳ１３にて「受信した（Ｙｅｓ）」と判断した場合、記憶部３５内のデータを参照することにより、受信した識別情報Ｐｆと同じ識別情報Ｐｆが記憶部３５に保存されているか否かを判断する（図３のステップＳ１４）。
【００３８】
起動処理部３４４は、ステップＳ１４にて「保存されている（Ｙｅｓ）」と判断した場合、ステップＳ１２へ移行して、情報取得処理用プログラムの実行を開始する。一方、ステップＳ１４にて「保存されていない（Ｎｏ）」と判断した場合、ステップＳ１１に戻る。これにより、利用者が、自身が利用する特定のエレベータの識別情報Ｐｅと共に、当該特定のエレベータの乗場又はそのエレベータの乗りかご１００内に設置されている通信中継器２の識別情報Ｐｆを取得しておくことで、当該利用者が所持する携帯端末３には、特定のエレベータの乗場に利用者が近づくか、又は、そのエレベータの乗りかご１００に利用者が搭乗したときに、自動的に情報取得処理用プログラムの実行を開始させることが可能になる。
【００３９】
［３−２］情報取得処理
図４は、携帯端末３の制御部３４で実行される情報取得処理を示したフローチャートである。情報取得処理は、情報取得処理用のプログラムが制御部３４で実行された場合（図３のステップＳ１２が実行された場合）に開始される。情報取得処理が開始されると、識別情報取得部３４１が、エレベータの識別情報Ｐｅ及びこれに対応する通信中継器２の識別情報Ｐｆが携帯端末３に入力されたか否かを判断する（図４のステップＳ２１）。そして、識別情報取得部３４１は、ステップＳ２１にて「入力された（Ｙｅｓ）」と判断した場合、入力された識別情報Ｐｅ及びＰｆを記憶部３５に保存する（図４のステップＳ２２）。その後、情報取得処理はステップＳ２３へ移行する。
【００４０】
一例として、エレベータの乗場やそのエレベータの乗りかご１００内に、当該エレベータの識別情報Ｐｅ、Ｐｆを含んだ情報コード（ＱＲコード（登録商標）など）が表示されている場合において、利用者が、その情報コードを読取部３３（コードリーダ）で読み取った場合には、読取部３３を通じて携帯端末３に情報コードが入力されるため、識別情報取得部３４１は、ステップＳ２１に「入力された（Ｙｅｓ）」と判断する。そして、識別情報取得部３４１は、入力された情報コードから識別情報Ｐｅ及びＰｆを取得して記憶部３５に保存する（ステップＳ２２）。
【００４１】
一方、ステップＳ２１にて「入力されていない（Ｎｏ）」と識別情報取得部３４１が判断した場合、ステップＳ２２が実行されずに、情報取得処理はステップＳ２３へ移行する。
【００４２】
ステップＳ２３では、特定情報取得部３４２が、記憶部３５内のデータを参照することにより、記憶部３５に識別情報Ｐｅが保存されているか否かを判断する。そして、特定情報取得部３４２は、ステップＳ２３にて「保存されている（Ｙｅｓ）」と判断した場合、記憶部３５に保存されている識別情報Ｐｅに基づいて、当該識別情報Ｐｅで識別される特定のエレベータに関連する特定情報Ｐｔを、当該特定エレベータに発生する事由ごとに取得する（図４のステップＳ２４）。具体的には、特定情報取得部３４２は、特定のエレベータの運行状況、故障、又はメンテナンスに関連する情報の少なくとも何れか１つを、特定情報Ｐｔとしてエレベータ管理サーバ１Ａから取得する。また、特定情報取得部３４２は、特定のエレベータが設置されているエリアで地震や災害が発生した場合には、特定情報Ｐｔとして、地震に関連する情報を地震情報提供サーバ１Ｂから取得し、災害に関連する情報を災害情報提供サーバ１Ｃから取得する。
【００４３】
その後、通知処理部３４３が、特定情報取得部３４２が取得した特定情報Ｐｔに応じた通知を、特定エレベータに発生している事由ごとに行う（図４のステップＳ２５）。一態様として、通知処理部３４３は、特定情報Ｐｔを表示部３２に表示することにより、当該特定情報Ｐｔの内容を利用者に通知する。尚、通知処理部３４３は、携帯端末３に設けられているスピーカから音声で特定情報Ｐｔの内容を通知してもよい。他の態様として、通知処理部３４３は、特定情報取得部３４２が取得した特定情報Ｐｔに基づいて、別の情報を生成し、或いは別の情報を記憶部３５から読み出し、当該別の情報を表示部３２やスピーカを通じて利用者に通知する。
【００４４】
上記の別の情報には、特定のエレベータが設置されているエリアで地震が発生したときの当該特定のエレベータからの避難方法などが含まれる。このように避難方法を地震発生時に利用者に提供（通知）することにより、利用者を、エレベータから安全に避難させることが可能になる。
【００４５】
ステップＳ２５（特定情報Ｐｔに応じた通知）の実行後、情報取得処理は、ステップＳ２６に戻る。また、ステップＳ２３にて「保存されていない（Ｎｏ）」と特定情報取得部３４２が判断した場合にも、情報取得処理はステップＳ２１に戻る。
【００４６】
本実施形態では、情報取得処理は、利用者が、特定のエレベータの乗場に近づくか、又は、そのエレベータの乗りかご１００に搭乗したときに、当該利用者が所持する携帯端末３にて情報取得処理用プログラムの実行が自動的に開始されることで行われる。そして、情報取得処理の実行により、その特定のエレベータに関連する情報が利用者に提供される。よって、本実施形態の携帯端末３によれば、利用者が、自身が所持する携帯端末３にて情報取得処理用プログラムを実行していなかったとしても（即ち、アプリケーションを立ち上げていなかったとしても）、特定のエレベータの乗場に近づくか、又は、そのエレベータの乗りかご１００に搭乗したときに、情報取得処理用プログラムの実行を自動的に開始でき、従って、当該利用者に対して、その特定のエレベータに関連する情報を確実に提供できる。
【００４７】
また、本実施形態の携帯端末３によれば、エレベータのそれぞれで発生する事由（エレベータの故障やメンテナンス、地震発生、災害発生など）が異なる場合であっても、事由ごとに、必要な情報（特定情報Ｐｔ）を取得できる。よって、利用者に、必要な情報を事由ごとに提供できる。
【００４８】
更に、本実施形態の携帯端末３によれば、エレベータから離れていたとしても、情報取得処理用プログラムが実行されており、且つ、ネットワークへの接続が可能な状態であれば、既に取得済みの識別情報Ｐｅで識別される特定エレベータに関連する各種情報をサーバ１から取得できる。よって、利用者は、自身が利用する特定のエレベータの状況を、当該エレベータから離れていても知ることができる。
【００４９】
［４］変形例
［４−１］第１変形例
上述した制御システムには、地震に限らず、他の異常な自然現象（台風など）に関連する情報を配信するサーバ１が設けられていてもよい。この構成によれば、携帯端末３（具体的には、制御部３４の特定情報取得部３４２）は、特定のエレベータが設置されているエリアで異常な自然現象が発生した場合に、特定情報Ｐｔとして、当該異常な自然現象に関連する情報をサーバ１から取得できる。
【００５０】
［４−２］第２変形例
上述した携帯端末３は、サーバ１から取得する各種特定情報Ｐｔごとに、受信の要否を利用者が選択できるように構成されてもよい。
【００５１】
［４−３］第３変形例
上述した携帯端末３は、通信中継器２の識別情報Ｐｆを用いて情報取得処理用プログラムの実行を開始する処理（図３のステップＳ１３及びＳ１４）を持たない構成に変更されてもよい。
【００５２】
上述の実施形態の説明は、すべての点で例示であって、制限的なものではないと考えられるべきである。本発明の範囲は、上述の実施形態ではなく、特許請求の範囲によって示される。更に、本発明の範囲には、特許請求の範囲と均等の意味及び範囲内での全ての変更が含まれることが意図される。
【符号の説明】
【００５３】
１  サーバ
１Ａ  エレベータ管理サーバ
１Ｂ  地震情報提供サーバ
１Ｃ  災害情報提供サーバ
２  通信中継器
３  携帯端末
Ｒ  所定範囲
３１  通信部
３２  表示部
３３  読取部
３４  制御部
３５  記憶部
Ｐｅ、Ｐｆ  識別情報
Ｐｔ  特定情報
１００  乗りかご
１０１  エレベータ制御装置
１０２  群管理制御装置
３４１  識別情報取得部
３４２  特定情報取得部
３４３  通知処理部
３４４  起動処理部
【図１】
2020164306.tif 000003
【図２】
2020164306.tif 000004
【図３】
2020164306.tif 000005
【図４】
2020164306.tif 000006